(57)【特許請求の範囲】
【請求項１】
窓枠と、この窓枠に上下移動自在に取付けた内障子・外障子と、前記窓枠に取付けた左右のロープガイドと、この各ロープガイドにそれぞれ巻掛けた左右の吊りロープを備え、
前記左右の吊りロープが内障子・外障子の左右側部にそれぞれ連結され、内障子を上に移動すると外障子が下に移動し、内障子を下に移動すると外障子が上に移動する上げ下げ窓であって、
前記窓枠の左右側部にそれぞれ取付けたロック受部材と、内障子の左右側部にそれぞれ取付けたロック部材で内障子ロック装置とし、
前記ロック部材は、内障子が下方位置の時にロック受部材に接して内障子が下方位置から上に移動しないようにロックするロック位置と、ロック受部材と離隔して下方位置の内障子が、その下方位置から上に移動できるようにするロック解除位置とに亘って移動自在で、かつロック位置に向けて付勢された形状で、
前記各ロック部材は左右の吊りロープにそれぞれ接してロック解除位置に保持されていることを特徴とする上げ下げ窓。
【請求項２】
前記ロック受部材は、ロック位置のロック部材が接する第１の位置と、ロック位置のロック部材が接しない第２の位置とに亘って移動自在とした請求項１記載の上げ下げ窓。
【発明の詳細な説明】
【０００１】
【発明の属する技術分野】
本発明は、上げ下げ窓に関する。
【０００２】
【従来の技術】
従来から種々の上げ下げ窓が提案されている。
例えば、特開平７−１２７３３７号公報に開示された上げ下げ窓が提案されている。
この上げ下げ窓は、窓枠と、この窓枠に上下移動可能に取付けた内障子・外障子と、窓枠に取付けた滑車と、この滑車に巻掛けた吊りロープを備え、この吊りロープを内障子下端部と外障子下端部に連結することで、内障子を上に移動すると外障子が下に移動し、内障子を下に移動すると外障子が上に移動する。
【０００３】
【発明が解決しようとする課題】
前述のように、内障子と外障子を吊りロープで連結した上げ下げ窓においては、その吊りロープが切れると上に移動している障子が落下することがある。
【０００４】
本発明は、前述の課題を解決するためになされたもので、その目的は、２本の吊りロープが切れて内障子が落下することを未然に防止できるようにした上げ下げ窓を提供することを目的とする。
【０００５】
【課題を解決するための手段】
第１の発明は、窓枠と、この窓枠に上下移動自在に取付けた内障子・外障子と、前記窓枠に取付けた左右のロープガイドと、この各ロープガイドにそれぞれ巻掛けた左右の吊りロープを備え、
前記左右の吊りロープが内障子・外障子の左右側部にそれぞれ連結され、内障子を上に移動すると外障子が下に移動し、内障子を下に移動すると外障子が上に移動する上げ下げ窓であって、
前記窓枠の左右側部にそれぞれ取付けたロック受部材と、内障子の左右側部にそれぞれ取付けたロック部材で内障子ロック装置とし、
前記ロック部材は、内障子が下方位置の時にロック受部材に接して内障子が下方位置から上に移動しないようにロックするロック位置と、ロック受部材と離隔して下方位置の内障子が、その下方位置から上に移動できるようにするロック解除位置とに亘って移動自在で、かつロック位置に向けて付勢された形状で、
前記各ロック部材は左右の吊りロープにそれぞれ接してロック解除位置に保持されていることを特徴とする上げ下げ窓。
【０００７】
第２の発明は、第１の発明において前記ロック受部材は、ロック位置のロック部材が接する第１の位置と、ロック位置のロック部材が接しない第２の位置とに亘って移動自在とした上げ下げ窓である。
【０００９】
【作用】
第１の発明によれば、左右の吊りロープが切れていない場合には、左右のロック部材が左右の吊りロープに接してロック解除位置にそれぞれ保持されているので、内障子を下方位置から上に移動できるので、通常どおりに内・外障子を上げ下げできる。
また、左右の吊りロープのどちらか一方が切れると、切れた吊りロープに接していたロック部材がロック位置に移動する。
前述のように左右一方の吊りロープが切れた状態で内障子を下方位置に下げ、再び内障子を上に移動しようとするとロック部材がロック受部材に接して上に移動できない。
よって、左右一方の吊りロープが切れたままの状態で内障子、外障子を繰り返して上げ下げし、残りの吊りロープが切れて内障子、外障子が落下することを未然に防止できる。
【００１０】
第２の発明によれば、ロック受部材を常時第１の位置として内障子、外障子を上げ下げする。
そして、下方位置の内障子が上に移動できない場合にはロック受部材を第２の位置に移動する。この状態で内障子を上に移動できれば一方の吊りロープが切れたと判断できるし、内障子を上に移動できなければ吊りロープが切れたのではなく他の原因で内障子を上に移動できないと判断できる。
したがって、使用者が一方の吊りロープが切れたことを正確に知ることができ、その一方の吊りロープの交換などを実施できる。
【００１１】
【発明の実施の形態】
図１に示すように、窓枠１と、この窓枠１に上下動自在に取付けた内障子２、外障子３と、この窓枠１の左右側部にそれぞれ取付けたロープガイド、例えば滑車４と、この各滑車４にそれぞれ巻掛けた左右の吊りロープ５を備え、この各吊りロープ５の一端部が内障子２の左右側部にそれぞれ連結され、他端部が外障子３の左右側部にそれぞれ連結されている。前述のロープガイドは滑車４に限ることはなく、吊りロープ５をスムーズに上下に摺動ガイドする固定体でも良い。
前述の吊りロープ５とは紐、ワイヤなどを含むものである。
これによって、内障子２を上に移動すると外障子３が下に移動し、内障子２を下に移動すると外障子３が上に移動する上げ下げ窓を形成している。
【００１２】
前記窓枠１は上枠１０と下枠１１と左右の縦枠１２で方形枠形状で、その左右の縦枠１２が前記窓枠１の左右側部である。
前記内障子２、外障子３は、上框１３と下框１４と左右の縦框１５を方形状に連結し、その内部にガラス等のパネル１６を装着してある。
この左右の縦框１５が前記内障子２、外障子３の左右側部である。
内障子２を下方位置とすると、下框１４（内障子下部）が下枠１１（窓枠１の下部）に接し、外障子３が上方位置となって上框１３（外障子上部）が上枠１０（窓枠１の上部）に接すると共に、内障子２の上框１３（内障子上部）と外障子３の下框１４（外障子下部）が室内外側方向に重なり合う。
【００１３】
前記縦枠１２と縦框１５との具体形状の一例を図２に基づいて説明する。
縦枠１２は室内側縦ガイド溝１２ａと室外側縦ガイド溝１２ｂを有する。例えば、面外方向に向う縦板２０と、室内側内向縦板２１と室内外側方向中間の中間内向縦板２２と室外側内向縦板２３を備え、各内向縦板２１，２２，２３は面内方向内側に向けて縦板２０に一体的に設けてある。
縦板２０の室内側寄りと室内側内向縦板２１と中間内向縦板２２で室内側縦ガイド溝１２ａを形成している。
縦板２０の室外側寄りと中間内向縦板２２と室外側内向縦板２３で室外側縦ガイド溝１２ｂを形成している。
【００１４】
前記各縦框１５は面内方向内側のパネル装着部１５ａと面内方向外側のガイド部１５ｂを備えている。
前記パネル装着部１５ａは凹部２４を有し、この凹部２４にパネル１６の縦縁部が装着される。この凹部２４は押縁を用いて形成しても良い。
前記内障子２の縦框１５のガイド部１５ｂが縦枠１２の室内側縦ガイド溝１２ａに沿って上下移動可能にガイドされる。
前記外障子３の縦框１５のガイド部１５ｂが縦枠１２の室外側縦ガイド溝１２ｂに沿って上下移動可能にガイドされる。
【００１５】
前記縦枠１２の中間内向縦板２２の上下方向中間部を切欠きし、この切欠き部において滑車４が縦板２０に回転自在に取付けられる。
前記各吊りロープ５の一端部が内障子２の縦框１５のガイド部１５ｂにおける上下方向中間部に連結部材２５で連結され、他端部が外障子３の縦框１５のガイド部１５ｂにおける下部寄りに連結部材２６で連結される（図１参照）。
【００１６】
図３と図４と図５に示すように、窓枠１の左右の縦枠１２と内障子２の左右の縦框１５とに亘って内障子ロック装置３０がそれぞれ取付けてある。
この内障子ロック装置３０は、吊りロープ５が切れている状態では内障子２を下方位置において上に移動しないようにロックし、吊りロープ５が切れていない状態においては下方位置の内障子２を上に移動できるようにロックしない形状である。なお、内障子２を下方位置から若干だけ上に移動でき、それ以上は上に移動しないようにロックしても良い。
【００１７】
前記内障子ロック装置３０は、縦框１５に取付けたロック部材３１と、縦枠１２に取付けたロック受部材３２を備えている。
前記ロック部材３１は内障子２が下方位置の状態においてロック受部材３２に接してロック部材３１がロック受部材３２よりも上に移動できないロック位置（図４参照）とロック受部材３２から離隔してロック部材３１がロック受部材３２よりも上に移動できるロック解除位置（図５参照）とに亘って移動自在で、かつロック位置に向けて付勢される。
このロック部材３１は吊りロープ５に接してロック解除位置に保持されている。つまり、吊りロープ５には内障子２、外障子３の重量によってテンションが作用している。
【００１８】
このようであるから、左右の吊りロープ５のどちらか一方が切れると、切れた吊りロープ５に接していたロック部材３１がロック位置に移動する。２本の吊りロープ５が同時に切れることはまれで、実際には同時に切れることはないと言える。
前述のように一本の吊りロープ５が切れた状態で内障子２を下方位置に下げ、再び内障子２を上に移動しようとするとロック部材３１がロック受部材３２に接して上に移動できない。内障子２を下げる時にロック部材３１はロック受部材３２と干渉してロック解除位置に向けて変位し、ロック受部材３２を通過するとロック位置に復帰する。
【００１９】
よって、一本の吊りロープ５が切れた状態で内障子２を繰り返して上下移動することができないので、残りの吊りロープ５も切れて内障子２，外障子３が落下することを未然に防止できる。
また、一本の吊りロープ５が切れたことを使用者が知ることができるので、その切れた吊りロープ５を交換することで、再び２本の吊りロープ５で内障子２と外障子３を連結できる。
【００２０】
また、前記ロック受部材３２を、ロック位置のロック部材３１が接する第１の位置と、接しない第２の位置とに亘って移動自在である。
このようにすることで、前述のように下方位置の内障子２が上に移動できない場合に、ロック受部材３２を第２の位置に移動し、その状態で内障子２を上に移動できれば一本の吊りロープ５が切れたことを確認でき、内障子２を上に移動できなければ一本の吊りロープ５が切れたのではなく他の原因で内障子２が上に移動できないことを知ることができる。
【００２１】
前記ロック部材３１とロック受部材３２の具体形状を説明する。
ロック部材３１は取付部３３と、ロック部３４と、このロック部３４を取付部３３に対してロック位置に付勢する付勢部を備えている。
この実施の形態では板材を一側片３３ａと他側片３３ｂを有するＬ字形に折り曲げて取付部３３とし、この他側片３３ｂと一体的に連続した立上り片３４ａでロック部３４としている。
前記一側片３３ａが前述の連結部材２５とともにビス３５で縦框１５（ガイド部１５ｂ）に取付けられる。前記立上り片３４ａは吊りロープ５を境としてロック受部材３２と面外方向反対側に位置している。
前記立上り片３４ａは弾性を有し、図５に示すようにほぼく字形状に折曲してロック位置となり、図４に示すように吊りロープ５に当たることでほぼ一直線状に弾性変形してロック解除位置に保持される。
この立上り片３４ａが前述の付勢部を兼用する。なお、取付部３３にロック部３４をヒンジ、ピンなどで揺動自在に連結し、コイルバネなどの付勢部材を別に設けてロック部３４をロック位置に付勢するようにしても良い。
【００２２】
前記ロック受部材３２はビスで、縦枠１２の室内側内向縦板２１に面外方向に向けて室内側から螺合してある。
よって、ビスを締付けることで前述の第１の位置に移動し、弛めることで前述の第２の位置に移動する。
このロック受部材３２は、縦枠１２の室内側内向縦板２１の穴に嵌合して取付けることで第１の位置となり、取り外すことで前述の第２の位置となるようにしても良い。
また、面内方向に移動して第１の位置と第２の位置とに移動するようにしても良い。
【００２３】
前記ロック部材３１は図６に示すように、取付部３３と、この取付部３３の他側片３３ｂに固着した板ばね３７と、この板ばね３７に固着した板状のロック部３４で形成しても良い。
この場合には、板ばね３７が前述の付勢部である。
【００２５】
【発明の効果】
請求項１に係る発明によれば、左右の吊りロープが切れていない場合には、左右のロック部材が左右の吊りロープに接してロック解除位置にそれぞれ保持されているので、内障子を下方位置から上に移動できるので、通常どおりに内・外障子を上げ下げできる。
また、左右の吊りロープのどちらか一方が切れると、切れた吊りロープに接していたロック部材がロック位置に移動する。
前述のように左右一方の吊りロープが切れた状態で内障子を下方位置に下げ、再び内障子を上に移動しようとするとロック部材がロック受部材に接して上に移動できない。
よって、左右一方の吊りロープが切れたままの状態で内障子、外障子を繰り返して上げ下げし、残りの吊りロープが切れて内障子、外障子が落下することを未然に防止できる。
【００２６】
請求項２に係る発明によれば、ロック受部材を常時第１の位置として内障子、外障子を上げ下げする。
そして、下方位置の内障子が上に移動できない場合にはロック部材を第２の位置に移動する。この状態で内障子を上に移動できれば一方の吊りロープが切れたと判断できるし、内障子を上に移動できなければ吊りロープが切れたのではなく他の原因で内障子を上に移動できないと判断できる。
したがって、使用者が一方の吊りロープが切れたことを正確に知ることができ、その一方の吊りロープの交換などを実施できる。
【図面の簡単な説明】
【図１】上げ下げ窓の一部を破断した概略内観図である。
【図２】図１のＡ−Ａ拡大断面図である。
【図３】上げ下げ窓の下方部分の一部を破断した詳細内観図である。
【図４】内障子ロック装置部分の通常状態の斜視図である。
【図５】内障子ロック装置部分の吊りロープ切れ状態の斜視図である。
【図６】ロック部材の他の実施の形態を示す斜視図である。
【符号の説明】
１…窓枠、２…内障子、３…外障子、４…滑車（ロープガイド）、５…吊りロープ、１２…縦枠（窓枠の左右側部）、１５…縦框（内障子の左右側部）、３０…内障子ロック装置、３１…ロック部材、３２…ロック受部材。
【図１】
0003769683.tif 000002
【図２】
0003769683.tif 000003
【図３】
0003769683.tif 000004
【図４】
0003769683.tif 000005
【図５】
0003769683.tif 000006
【図６】
0003769683.tif 000007